(57)【要約】【課題】リモコン装置からの入力に備えて待機する待機モード時の消費電力を削減したリモコン操作機器を提供する。【解決手段】リモコン操作機器がテレビジョン装置である場合、テレビジョン装置が待機状態にある時、周囲の明るさを光検出回路８によって検知し、テレビの周囲の明るさが所定の閾値より明るい時、リモコン装置からの信号を受信するリモコン信号受信回路５に電力供給を行い、閾値より暗い時にはリモコン信号受信回路５への電力供給を電源ＳＷによって遮断する。また、リモコン信号受信回路への電源を遮断する際に、リモコン操作機器の動作状態を示す表示素子制御用の制御回路への電力供給も遮断している。【選択図】図１
2011071902.tif 000002
【特許請求の範囲】
【請求項１】
リモコン装置からの信号を受信するリモコン信号受信回路を備え、前記リモコン装置からの信号に応じた動作を行うリモコン操作機器において、周囲の明るさを検知する光検出回路と、待機時に前記光検出回路からの出力値が所定の明るさでの出力値よりも暗いときの出力値である場合に、前記リモコン信号受信回路への電力供給を遮断するスイッチ回路を設けたことを特徴とするリモコン操作機器。
【請求項２】
前記光検出回路からの出力値に応じて前記リモコン信号受信回路への電力供給を行う際に、ヒステリシス特性を持たせたことを特徴とする請求項１に記載のリモコン操作機器。
【請求項３】
前記光検出回路に太陽電池を用いたことを特徴とする請求項１または２に記載のリモコン操作機器。
【請求項４】
前記リモコン信号受信回路が赤外線方式又はＲＦ無線方式であることを特徴とする請求項１から３のいずれか１に記載のリモコン操作機器。
【請求項５】
リモコン操作機器の動作状態を示す表示素子制御用の制御回路をさらに有し、前記リモコン信号受信回路への電力供給を遮断する際に、前記制御回路への電力供給を遮断することを特徴とする請求項１から４のいずれか１に記載のリモコン操作機器。
【請求項６】
リモコン操作機器がさらにタイマーを具備し、該タイマーが所定の時刻に前記リモコン操作機器を通常動作状態にするように設定されていることを特徴とする請求項１から５のいずれか１に記載のリモコン操作機器。
【請求項７】
前記所定の明るさよりも暗いときに前記リモコン装置によって前記リモコン操作機器の電源がオフされた際に、前記リモコン信号受信回路への電力供給を所定時間の間維持した後に遮断することを特徴とする請求項１から６のいずれか１に記載のリモコン操作機器。
【請求項８】
前記リモコン操作機器がテレビジョン装置であることを特徴とする請求項１から７のいずれか１に記載リモコン操作機器。
【発明の詳細な説明】
【技術分野】
【０００１】
本発明は、リモコン操作機器に関し、より詳細には、待機時の消費電力を削減したリモコン操作機器に関する。
【背景技術】
【０００２】
近年、環境に配慮した省エネルギーの電子機器や電化製品が普及してきている。また、ユーザ操作の利便性を考慮して、種々の電子機器や電化製品にリモコン装置が付属するようになっている。
このようなリモコン装置によって操作されるリモコン操作機器にあっては、動作時と非動作時における消費電力の削減が求められている。
例えば、リモコン操作機器の一例としてテレビジョン装置の消費電力性能の向上を図る上では、テレビ視聴時における動作時の消費電力の削減とテレビ未視聴時における待機時の消費電力の削減という２つの課題がある。
【０００３】
前者については、人感センサを使ってテレビの前に人がいないかどうかを検知し、テレビの前から人が離れると消画状態にし、人が戻ってくると自動的に画面をオン状態に戻したり、明るさセンサを使って、周囲の明るさに応じて画面の明るさを調整したりすることで、動作時の消費電力を削減している。
また、ＤＶＤレコーダなどの電子機器のメイン電源の切り忘れを防止するために、例えば、特許文献１には、当該電子機器を設置した部屋の明るさを光センサで検出し、部屋の照明が点灯状態から消灯状態になったことを検出した時に、メイン電源のスイッチ回路をオフし、待機電源からの電力により特定の構成要素のみの待機動作を可能としたものが開示されている。
【先行技術文献】
【特許文献】
【０００４】
【特許文献１】特開２００７−９５１２７号公報
【発明の概要】
【発明が解決しようとする課題】
【０００５】
例えば、従来のテレビジョン装置では、図７にそのブロック図を示すように、電源回路１、テレビ制御マイコン２、映像音声受信出力部３、主電源ＳＷ（スイッチ）４、リモコン信号受信回路５、パワーＬＥＤ６、ＬＥＤ制御回路７を備えている。そして、テレビジョン放送の受信や出力に係る全ての機能が動作する通常動作モード（通常動作状態）と、商用電源に接続されただけの状態である待機モード（待機状態）を備えている。
【０００６】
通常動作モードでは、電源回路１から、すべての構成要素である、テレビ制御マイコン２、映像音声受信出力部３、リモコン信号受信回路５、パワーＬＥＤ６、ＬＥＤ制御回路７へ電源が供給される。通常動作モードでは、テレビジョン装置の前面に配置されたＬＥＤ６は、例えば緑色に点灯している。
また、待機モードでは、電源回路１から、テレビ制御マイコン２とその周辺の入出力回路であるリモコン信号受信回路５、パワーＬＥＤ６、ＬＥＤ制御回路７のみへ電源が供給される。待機モードでは、パワーＬＥＤ６は、例えば赤色に点灯している。
そして、待機モードでは、リモコン装置の電源ボタンが操作されること等によって電源投入の要求が行われると、所定の処理手順で通常動作モードに移行する。
【０００７】
なお、図１では、待機モードでは、電源回路１はスタンバイ電源１ａから電力が供給されるように図示しており、また、通常動作モードでは、このスタンバイ電源１ａに加えて映像音声受信出力部３にシステム電源１ｂから電力が供給される。また、主電源ＳＷ４をオフした場合は、スタンバイ電源１ａ、システム電源１ｂからの電力供給は行われないため、パワーＬＥＤ６も消灯され、テレビジョン装置の消費電力はほぼゼロにすることができる。しかし、この場合には、リモコン装置によるテレビジョン装置のオン／オフができなくなるので利便性が失われてしまうという課題がある。
【０００８】
したがって、従来のテレビジョン装置では、動作モード中及び待機モード時においてリモコン信号受信回路５の電源はスタンバイ電源１ａから常に供給され、リモコン装置からの制御コードを常に受信できる状態に置かれていた。そして、リモコン入力等の操作に備えて待機する待機モード時の消費電力はすでに非常に小さい値まで突き詰められており、殆どの部品が動作していない状態であるのでこの状態における消費電力削減は困難を極める状況にある。
【０００９】
本発明は、このような実情に鑑みてなされたものであり、リモコン装置からの入力に備えて待機する待機モード時の消費電力をさらに削減したリモコン操作機器を提供することを目的とする。
【課題を解決するための手段】
【００１０】
上記課題を解決するために、本発明の第１の技術手段は、リモコン装置からの信号を受信するリモコン信号受信回路を備え、前記リモコン装置からの信号に応じた動作を行うリモコン操作機器において、周囲の明るさを検知する光検出回路と、待機時に前記光検出回路からの出力値が所定の明るさでの出力値よりも暗いときの出力値である場合に、前記リモコン信号受信回路への電力供給を遮断するスイッチ回路を設けたことを特徴としたものである。
【００１１】
第２の技術手段は、第１の技術手段において、前記光検出回路からの出力値に応じて前記リモコン信号受信回路への電力供給を行う際に、ヒステリシス特性を持たせたことを特徴としたものである。
【００１２】
第３の技術手段は、第１または２の技術手段において、前記光検出回路に太陽電池を用いたことを特徴としたものである。
【００１３】
第４の技術手段は、第１から３のいずれか１の技術手段において、前記リモコン信号受信回路が赤外線方式又はＲＦ無線方式であることを特徴としたものである。
【００１４】
第５の技術手段は、第１から４のいずれか１の技術手段において、リモコン操作機器の動作状態を示す表示素子制御用の制御回路をさらに有し、前記リモコン信号受信回路への電力供給を遮断する際に、前記制御回路への電力供給を遮断することを特徴としたものである。
【００１５】
第６の技術手段は、第１から５のいずれか１の技術手段において、リモコン操作機器がさらにタイマーを具備し、該タイマーが所定の時刻に前記リモコン操作機器を通常動作状態にするように設定されていることを特徴としたものである。
【００１６】
第７の技術手段は、第１から６のいずれか１の技術手段において、前記所定の明るさよりも暗いときに前記リモコン装置によって前記リモコン操作機器の電源がオフされた際に、前記リモコン信号受信回路への電力供給を所定時間の間維持した後に遮断することを特徴としたものである。
【００１７】
第８の技術手段は、第１から７のいずれか１の技術手段において、前記リモコン操作機器がテレビジョン装置であることを特徴としたものである。
【発明の効果】
【００１８】
本発明によれば、リモコン操作機器が設置された部屋が暗い時にリモコン信号受信回路への電力供給を遮断して、リモコン信号受信回路を無効にすることでリモコン操作機器の消費電力を削減できる。特に、リモコン操作機器がテレビジョン装置である場合、テレビを視聴しない就寝時や外出時は部屋が暗い状態にあるので、リモコン信号受信回路を無効にすることでテレビの消費電力を削減でき環境に易しい機器を提供することができる。
また、リモコン操作機器の周囲の明るさを検知した光検知信号に対して、リモコン信号受信回路への電力供給を遮断する閾値を種々設定可能とすることで、種々の明るさの部屋や照明に対応することが可能となる。
【００１９】
また、明るさを検知した光検知信号に対して、リモコン信号受信回路の電力供給をオンする時とオフする時の閾値に差をつけてヒステリシス特性を付与することにより、周囲の明るさの変動を吸収した安定した動作が実現可能となる。
また、明るさを検知する手段として太陽電池を用いる場合には、光検出回路の電源が不要になるので更なる消費電力の削減が可能となる。
また、リモコン信号受信回路を無効化するのと同時に、テレビジョン装置のパワーＬＥＤへの電力供給を止めることで更なる消費電力の削減も可能となる。
【図面の簡単な説明】
【００２０】
【図１】本発明の一実施形態に係るリモコン操作機器をテレビジョン装置に適用した場合のブロック図である。
【図２】本発明の他の実施形態に係るリモコン操作機器をテレビジョン装置に適用した場合のブロック図である。
【図３】本発明の一実施形態に係るテレビジョン装置において光検出信号の判定を１つの閾値で行う場合のフローチャートである。
【図４】本発明の一実施形態に係るテレビジョン装置において光検出信号の判定を２つの閾値で行う場合のフローチャートである。
【図５】本発明の一実施形態に係るテレビジョン装置において光検出信号の判定を１つの閾値で行う場合の動作を示すタイミングチャートである。
【図６】本発明の一実施形態に係るテレビジョン装置において光検出信号の判定を２つの閾値で行う場合の動作を示すタイミングチャートである。
【図７】従来のテレビジョン装置のブロック図である。
【発明を実施するための形態】
【００２１】
本発明に係るリモコン操作装置は、周囲の明るさを検出して、その検出結果に応じて、リモコン信号受信回路への電力供給を遮断するものであり、これによって、リモコン操作機器の消費電力の削減が可能となる。本発明のリモコン操作機器は、リモコン操作が可能な機器であれば、種々の電子機器や家庭用電化製品に好適に適用できる。以下の具体的な実施形態では、リモコン操作機器をテレビジョン装置に適用した場合を例として説明する。
【００２２】
図１は、本発明の一実施形態に係るリモコン操作機器をテレビジョン装置に適用した場合のブロック図である。
テレビジョン装置は、電源回路１、テレビ制御マイコン２、映像音声受信出力部３、主電源ＳＷ（スイッチ）４、リモコン信号受信回路５、パワーＬＥＤ６、ＬＥＤ制御回路７を備えており、これらの構成部材については図７で示した従来のテレビジョン装置と同じである。
【００２３】
ここで、映像音声受信出力部３は、テレビジョン装置の映像音声出力のための主たる機能を実現するための構成部であり、たとえば、液晶テレビジョン装置の場合は、デジタル放送受信部、映像信号処理回路、映像出力調整回路、液晶パネル、バックライト制御回路、音声信号処理回路、及び、スピーカなどを具備しており、テレビジョン装置の通常動作モード時における消費電力は映像音声受信出力部３によって大部分を占められている。
【００２４】
図１に示すテレビジョン装置では、さらに光検出回路８とリモコン信号受信回路５への電力供給を遮断するための電源ＳＷ（スイッチ）９とを備えている。ここで、光検出回路８はテレビジョン装置が設置された周囲の明るさを検出するためのもので、フォトダイオードやフォトトランジスタなどの光センサを備えている。この光検出回路８からの出力は光検出信号としてテレビ制御マイコン２に入力される。また、電源ＳＷ９はテレビ制御マイコン２からの制御信号であるリモコン−オン信号によって、リモコン信号受信回路５への電力供給をオン・オフしている。
【００２５】
テレビジョン装置がテレビジョン放送の受信や出力に係る全ての機能が動作する通常動作モードでは、従来のテレビジョン装置と同様に、電源回路１から、テレビ制御マイコン２、映像音声受信出力部３、リモコン信号受信回路５、パワーＬＥＤ６、ＬＥＤ制御回路７へ電源が供給される。この通常動作モードでは、テレビジョン装置の前面に配置されテレビジョン装置の動作モードを表示するための表示素子であるパワーＬＥＤ６は、例えば緑色に点灯している。また、通常動作モードでは、光検出回路への電力供給を行ってもよいが、光検出回路８からの光検出信号はテレビジョン装置の動作に利用しないため、光検出回路８への電力供給はオフの状態にしておいた方が省エネの点から望ましい。
【００２６】
この通常動作モードでは、リモコン信号受信回路５は常に動作しており、ユーザによって図示しないリモコン装置が操作されると、リモコン装置から送信される制御コードを受信し、テレビ制御マイコン２へリモコン信号として伝えている。そして、テレビ制御マイコン２は、リモコン信号受信回路５からのリモコン信号に応じて、視聴チャンネルの変更や音声の調整など種々のテレビジョン装置の制御を行うようになっている。ここで、リモコン装置とリモコン信号受信回路との信号の授受は、赤外線（ＩＲ）方式又はＲＦ無線方式が用いられる。
【００２７】
次に、例えば、リモコン装置の操作によってテレビジョン装置の電源がオフされた場合は、テレビジョン装置は通常動作モードから待機モードへ移行する。待機モードでは、テレビジョン装置の消費電力の大部分を占める映像音声受信出力部３への電力の供給がストップされる。また、本発明のテレビジョン装置では、電源回路１から、少なくともテレビ制御マイコン２と光検出回路８への電力の供給が行われる。
【００２８】
そして、リモコン装置を備えたテレビジョン装置では、部屋が暗いときに視聴されることはほとんどなく、リモコン装置が操作されることもほとんどない。したがって、本発明では、テレビジョン装置が待機モードにあるときに光検出回路８からの光検出信号に値に応じて、テレビ制御マイコン２は電源ＳＷ９へのリモコン−オン信号を制御することで電源ＳＷ９をオン・オフし、リモコン信号受光回路５の有効／無効を制御している。具体的には、光検出回路８からの出力値を所定の閾値と比較し、所定の明るさよりも明るいときの出力値である場合に、リモコン信号受信回路５へ電力供給を行い、また、所定の明るさよりも暗いときの出力値である場合に、リモコン信号受信回路５へ電力供給を遮断している。
なお、後述するように、閾値を２つ設けてヒステリシス特性を持たせることも可能である。
【００２９】
また、テレビジョン装置の動作モードを示すパワーＬＥＤ６は、テレビジョン装置が待機モードでかつリモコン信号受信回路５に電力が供給されて有効の場合に、例えば赤色に点灯し、リモコン装置による操作が受け付け可能であることを示すようにしている。この場合、電源回路１のスタンバイ電源１ａからは、テレビ制御マイコン２、リモコン信号受信回路５、パワーＬＥＤ６、ＬＥＤ制御回路７、光検出回路８へ電力が供給される。
【００３０】
また、テレビジョン装置が待機モードでかつリモコン信号受信回路５に電力が供給されずに無効の場合は、パワーＬＥＤ６及びＬＥＤ制御回路７への電力供給もストップすることで、パワーＬＥＤ６を消灯し、更なる消費電力の低減を図っている。この場合、電源回路１のスタンバイ電源１ａからは、テレビ制御マイコン２、光検出回路８へのみ電力が供給される。
【００３１】
図２は、本発明の他の実施形態に係るリモコン操作機器をテレビジョン装置に適用した場合のブロック図である。
図２で示すテレビジョン装置では、光検出回路８に光センサを用いていたため、光検出回路８はスタンバイ電源１ａの供給を受け、暗い状態でも暗電流が流れるため、光検出のために少ないながらも電力を消費することになる。図３に示すテレビジョン装置では、光検出回路８’として太陽電池を用いて構成することで、光検出回路８’での消費電力を削減することを実現している。その他の構成及び動作については、図２に示したテレビジョン装置と同様であるので、説明を省略する。
【００３２】
図３は、本発明の一実施形態に係るテレビジョン装置において光検出信号の判定を１つの閾値で行う場合のフローチャートである。
テレビジョン装置の起動時にリモコン信号受信回路５を有効にするため、テレビ制御マイコン２はリモコン−オン信号をアサートし、リモコン信号受信回路５に電源ＳＷ９を介してスタンバイ電源１ａを接続し、リモコン信号受信回路５を有効にする（ステップＳ１）。次に、ステップＳ１からステップＳ２に移り、テレビジョン装置の状態をチェックする。システム電源１ｂがオンで通常動作中（映像音声出力中）の場合はパワーＬＥＤ６を緑にし（ステップＳ３）、リモコン信号受信回路５を有効にした状態を維持する。
【００３３】
ステップＳ２でテレビジョン装置が動作中でない場合、例えば、リモコン装置の操作によってテレビジョン装置の電源がオフされた状態になると、ステップＳ４に移行し、光検出回路８からの出力信号の出力値をチェックする。ステップＳ４で光検出回路３からの出力値が所定の明るさを示す閾値以上の場合は、パワーＬＥＤ６を、待機モードでリモコン装置からの操作を受け入れることを示す赤色にし（ステップＳ５）、ステップ１に移行する。なお、図３ではステップＳ３からステップＳ１へ移行するようにしているが、すでにリモコン信号受信回路５は有効であるため、ステップＳ２へ戻ってもよい。
【００３４】
ステップＳ５の状態は、リモコン装置からの操作を受け入れることが可能なため、リモコン装置から電源ボタンが操作されると、リモコン信号受信回路５はリモコン装置からの信号を受け付け、テレビ制御マイコン２にリモコン装置からの制御コードをリモコン信号として伝え、テレビ制御マイコン２は所定の処理手順でシステム電源１ｂから映像音声受信出力回路３へ電力を供給して通常動作モードに移行する。
【００３５】
ステップＳ４で光検出回路８からの出力値が所定の明るさを示す閾値より低い場合は、ステップ６に移行し、リモコン信号受信回路５を無効化にするためリモコン−オン信号をネゲートし、電源ＳＷ９をオフすることによりリモコン信号受信回路５への電力供給を遮断し、さらにステップＳ７に移ってパワーＬＥＤを消灯する。したがって、パワーＬＥＤ６はリモコン操作が有効な時のみ点灯する。
【００３６】
図３に示すフローチャートおいて、ステップＳ７からステップＳ２へ手順を移行させているが、これは、リモコン装置によらずにテレビジョン装置本体での操作によって、通常動作モードに移る場合が想定されるためである。
【００３７】
図４は、本発明の一実施形態に係るテレビジョン装置において光検出信号の判定を２つの閾値で行う場合のフローチャートである。
閾値１はリモコン信号受信回路５を有効にするための判定に用い、閾値２はリモコン信号受信回路５を無効にするための判定に用いる。ここで光検出回路８からの出力値が所定の明るさの時の出力値を閾値１とした場合、閾値２の出力値に相当する明るさは閾値１の出力値に相当する明るさよりも暗い時の値となる。すなわち、周囲が明るいほど光検出回路８からの出力が大きな値を取る場合は、閾値１＞閾値２となるように設定される。
【００３８】
図４に示すフローチャートの処理は、図３に示すフローチャートの処理に比べて、ステップ１４において閾値１＞出力＞閾値２の状態を取った場合の処理が追加されており、ステップＳ１１からステップＳ１３までの処理は、図３に示すフローチャートのステップＳ１からステップＳ３までの処理と同様であるので、説明を省略する。
【００３９】
ステップＳ１４において、光検出回路８の出力値が閾値１以上の場合は、図３に示すフローチャートと同様に、ステップＳ１５へ移行し、パワーＬＥＤ６を、待機モードでリモコン装置からの操作を受け入れることを示す赤色にし、さらにステップ１に移行する。なお、図４ではステップＳ１５からステップＳ１へ移行するようにしているが、すでにリモコン信号受信回路５は有効であるため、ステップＳ１２へ戻ってもよい。
【００４０】
ステップＳ１４において、光検出回路８の出力値が閾値２より大きく閾値１より小さい場合は、リモコン信号受信回路５に対する電源供給のスイッチング処理を何ら行うことなくステップＳ１２へ戻る。したがって、閾値１＞出力＞閾値２の状態にある場合は、リモコン信号受信回路５はそれまでの状態を維持することになる。
【００４１】
ステップＳ１４において、光検出回路８からの出力値が所定の明るさを示す閾値２以下の場合には、ステップ１６に移行し、リモコン信号受信回路５を無効化にするためリモコン−オン信号をネゲートし、電源ＳＷ９をオフすることによりリモコン信号受信回路５へ電力供給を遮断し、さらにステップＳ１７に移ってパワーＬＥＤ６を消灯する。
【００４２】
ここで、ステップＳ１４及びステップＳ１７からステップＳ２へ手順を移行させているが、これは、リモコン装置によらずにテレビジョン装置本体での操作によって、通常動作モードに移る場合を想定しているためである。このように、閾値を２つ設定してヒステリシスを持たせることにより、光検出回路８からの出力値がこれらの閾値を挟んで変化しても、リモコン信号受信回路５への電力供給のためのスイッチングが行われることがなく、ノイズ等の変動に強い制御回路にすることが可能となる。
【００４３】
図５及び図６は、本発明の一実施形態に係るテレビジョン装置の動作を示すタイミングチャートであり、光センサの照度とリモコン信号受信回路の電源スイッチのオン・オフの状態を示している。また、図５は光検出信号の判定を１つの閾値で行う場合、図６は光検出信号の判定を２つの閾値で行う場合を示す。図５、図６では、説明上これらの閾値を照度として示しているが、これらの閾値は光検出回路の出力値の閾値に対応している。
【００４４】
図５（Ａ）は、天気が良く昼間の室内が外光により明るくなっている場合のタイミングチャートであり、図５において、時刻ｔ１及びｔ３で室内の照明を点灯し、時刻ｔ２及びｔ４で消灯した場合を示している。図５では、朝、まだ暗いうち（ｔ１）に室内の照明を点灯することにより、リモコン信号受信回路は有効になり、室内照明を消灯したｔ２の時点では、外光により室内が閾値より明るいため、リモコン信号受信回路は外光が少なくなるｔ５の時点まで有効な状態を維持し、さらに夜になって、室内照明が点灯される時刻ｔ３からｔ４の間有効になっていることを示している。
【００４５】
図５（Ｂ）は、カーテンが１日中閉まった状態で天気が良くない場合のタイミングチャートであり、リモコン信号受信回路５が有効となっている状態は、室内照明を点灯している時刻ｔ１からｔ２の間と時刻ｔ３からｔ４の間、及び、光センサの照度が閾値を超えた期間Ｔａ、Ｔｂの間となる。ここで、光センサの照度が雲や建物の影の影響などで閾値を挟んで変化する場合は、リモコン信号受信回路５の有効・無効が繰り返され不安定な状態となる。
【００４６】
一方、図６は、図５（Ｂ）と同様に、カーテンが１日中閉まった状態で天気が良くない場合のタイミングチャートを示すが、閾値を２つ有し、リモコン信号受信回路５の有効・無効の切換えにヒステリシス特性を設けているため、リモコン信号受信回路５の有効・無効の状態が外光の影響により頻繁に切り替わることがない。
【００４７】
本発明では、基本的にリモコン操作を行う場合は、周囲が明るいことを前提にしているが、例えば、暗い部屋でもリモコン装置でテレビジョン装置をオンして視聴したいという要求がある。例えば、図５（Ａ）において、朝の起床時に寝室にあるテレビをつけたい場合でも、部屋が暗くてはリモコンが効かない。この場合、部屋の照明を点灯することでリモコン操作が可能となる。しかし、このような場合に備えて、本発明のリモコン操作機器の追加機能として、オンタイマ機能を設けておくことが望ましい。このオンタイマ機能とは、テレビジョン装置を起動する時間及びチャンネルを予め設定しおき、設定した時間になると設定したチャンネルでテレビジョン装置を起動させて通常動作状態にする機能である。そして、一度テレビジョン装置が起動するとリモコン操作が可能となるため、通常動作モードでの操作が可能となる。
【００４８】
また、本発明では、部屋が暗い状態で視聴中のテレビジョン装置をリモコン操作で電源オフした場合、すでに部屋が暗い状態であるためにリモコン信号受信回路５は無効の状態となり、再度、リモコン装置でテレビジョン装置を電源オンの状態（視聴状態）にすることができない。この状態は、例えば、図５（Ａ）のタイミングｔ４でリモコン装置によってテレビジョン装置を電源オフした場合が挙げられる。このため、部屋が暗い状態で視聴中のテレビジョン装置をリモコン装置で電源オフしても一定期間の間はリモコン信号受信回路の電源をオンしたままで維持するタイムアウト機能を追加機能として設けることが望ましい。そして、このタイムアウトの期間をユーザ設定により変更可能に調整できるようにしてもよい。
【００４９】
また、図１、図２に示した実施態様では、テレビ制御マイコン２で閾値の設定を行い、光検出回路８からの出力値と比較を行うように構成したが、光検出回路８側で閾値の設定と出力値の比較を行うようにすることで、テレヒ制御マイコン２側での制御を簡単にすることも可能である。この場合、光検出回路２の出力はオンまたはオフのデジタル信号となりテレビ制御マイコン２側でのレベルの検出は不要になる。すなわち図３のフローチャートのステップ３で処理される判定は出力≧閾値または出力＜閾値ではなく、出力＝Ｈｉｇｈまたは出力＝Ｌｏｗの論理レベル判定で良いのでテレヒ制御マイコン２側での処理はシンプルになる。しかし、光検出回路２における閾値設定の可否により、種々の部屋の明るさの状況に対応することが難しくなる。またこの光検出回路２への閾値設定をソフトウェアで可能とするためにはハードウェアの追加が必要になりコストアップにつながる。
【００５０】
以上、本発明のリモコン操作機器としてテレビジョン装置を例に説明したが、本発明のリモコン操作機器はテレビジョン装置に限られるものではなく、オーディオ・ビデオ製品や、給湯器、エアコンなど種々のリモコン操作が可能な機器を含むものである。
【符号の説明】
【００５１】
１…電源回路、２…テレビ制御マイコン、３…映像音声受信出力部、４…主電源ＳＷ、５…リモコン信号受信回路、６…パワーＬＥＤ、７…ＬＥＤ制御回路、８…光検出回路、９…電源ＳＷ。
【図１】
2011071902.tif 000003
【図２】
2011071902.tif 000004
【図３】
2011071902.tif 000005
【図４】
2011071902.tif 000006
【図５】
2011071902.tif 000007
【図６】
2011071902.tif 000008
【図７】
2011071902.tif 000009